(57)【要約】【課題】容易に、毛髪に窪んだ丸み間の面を形成でき、外観が綺麗な状態でボリュームアップでき、美しい筋目が形成でき、徐々に広がる及び狭まる毛流れが形成できる櫛を提供すること。【解決手段】櫛歯３ａ、３ｂを設けた基部１を備え、前記基部１の長手方向先端側１ａは複数の櫛歯３ａの先部が形作るＲ状に、前記基部１の先端側以外の部分１ｂは複数の櫛歯３ｂの先部が形作る直線状に、それぞれ形成され、全ての櫛歯３ａ、３ｂの形成軌跡は上面視で直線状であると共に前記櫛歯３ａ、３ｂの長さを３〜７ｍｍに設定してある。【選択図】図１
0003139095.tif 000002
【実用新案登録請求の範囲】
【請求項１】
櫛歯（３ａ、３ｂ）を設けた基部（１）を備え、前記基部（１）の長手方向先端側（１ａ）は複数の櫛歯（３ａ）の先部が形作るＲ状に、前記基部（１）の先端側以外の部分（１ｂ）は複数の櫛歯（３ｂ）の先部が形作る直線状に、それぞれ形成され、全ての櫛歯（３ａ、３ｂ）の形成軌跡は上面視で直線状であると共に前記櫛歯（３ａ、３ｂ）の長さを３〜７ｍｍに設定してあることを特徴とする櫛。
【請求項２】
Ｒ状を形成する複数の櫛歯（３ａ）は、基部（１）の長手方向線に近づくにつれて徐々に、前記基部（１）の長手方向線に対する傾きが小さくなっていることを特徴する請求項１記載の櫛。
【請求項３】
Ｒ状を形成する複数の櫛歯（３ａ）は、放射線状に形成されていることを特徴とする請求項２記載の櫛。
【請求項４】
基部（１）における、隣り合う櫛歯（３ａ、３ａ／３ｂ、３ｂ）が形成する逆Ｖ字状の中央線上に凹み線（４ａ、４ｂ）を設けてあることを特徴とする請求項１乃至３のいずれかに記載の櫛。
【請求項５】
基部（１）の後端側には、テール部（２）が延設されていることを特徴とする請求項１乃至４のいずれかに記載の櫛。
【考案の詳細な説明】
【技術分野】
【０００１】
この考案は、毛髪をセット（整髪）するときに使用する櫛に関するものである。
【背景技術】
【０００２】
従来の整髪などに用いられる櫛としては、例えば、特許文献１に示すようなものがある。
【０００３】
この櫛は、基部に多数の櫛歯が列設されており、基部の両端は櫛歯と同じ長さで、隣接する櫛歯との間隔も櫛歯列における櫛歯の間隔と同じになっている。また、前記基部の他端側にはテール部が延設されており、櫛歯で頭髪を梳かし、テール部で頭髪に分け目を入れることができるようになっている。
【０００４】
ここで、この種の櫛では、櫛歯の長さは、基部から櫛歯先端までの幅の半分以上に設定されており、具体的には２０ｍｍ程度であった。
【０００５】
したがって、従来の櫛を使用した場合、毛髪の層厚全体を一度で梳くことも可能である。
【０００６】
しかしながら、上記の構成を有する櫛では、以下の（１）〜（４）に示すような問題がある。
（１）櫛歯の先端は直線的に配列されていることから、毛髪に窪んだ丸み間の面を作ることが困難である。
（２）毛髪を束にして引き上げた状態で生え際に逆毛を立てる場合、櫛歯の先端が差し込み位置からその反対側部に突出し、両面に逆毛ができてしまい、外観が綺麗な状態でボリュームアップできない場合がある。
（３）表面の乱れた毛髪を整えるにくく、美しい筋目を形成しにくい。
（４）広い部分から求心的に集めた毛髪の流れや、狭い部分から遠心的に広げる所謂毛流れが形成しにくい。
【０００７】
したがって、理美容業界では、従来の櫛では形成しづらかった上記（１）〜（４）の作業が、容易になしえる櫛が開発されることを待ち望んでいる。
【特許文献１】登録実用新案第３０５５１７４号公報
【考案の開示】
【考案が解決しようとする課題】
【０００８】
そこで、この考案では、容易に、毛髪に窪んだ丸み間の面を形成でき、外観が綺麗な状態でボリュームアップでき、美しい筋目が形成でき、徐々に広がる及び狭まる毛流れが形成できる櫛を提供することを課題とする。
【課題を解決するための手段】
【０００９】
（請求項１記載の考案）
この考案の櫛は、櫛歯３ａ、３ｂを設けた基部１を備え、前記基部１の長手方向先端側１ａは複数の櫛歯３ａの先部が形作るＲ状に、前記基部１の先端側以外の部分１ｂは複数の櫛歯３ｂの先部が形作る直線状に、それぞれ形成され、全ての櫛歯３ａ、３ｂの形成軌跡は上面視で直線状であると共に前記櫛歯３ａ、３ｂの長さを３〜７ｍｍに設定してある。
（請求項２記載の考案）
この考案の櫛は、上記請求項１記載の考案に関し、Ｒ状を形成する複数の櫛歯３ａは、基部１の長手方向線に近づくにつれて徐々に、前記基部１の長手方向線に対する傾きが小さくなっている。
（請求項３記載の考案）
この考案の櫛は、上記請求項２記載の考案に関し、Ｒ状を形成する複数の櫛歯３ａは、放射線状に形成されている。
（請求項４記載の考案）
この考案の櫛は、上記請求項１乃至３のいずれかに記載の考案に関し、基部１における、隣り合う櫛歯３ａ、３ａ／３ｂ、３ｂが形成する逆Ｖ字状の中央線上に凹み線４ａ、４ｂを設けてある。
（請求項５記載の考案）
この考案の櫛は、上記請求項１乃至４のいずれかに記載の考案に関し、基部１の後端側には、テール部２が延設されている。
【考案の効果】
【００１０】
この考案の櫛によると、容易に、毛髪に窪んだ丸み間の面を形成でき、外観が綺麗な状態でボリュームアップでき、美しい筋目が形成でき、徐々に広がる及び狭まる毛流れが形成できる。
【考案を実施するための最良の形態】
【００１１】
以下に、この考案の櫛を実施するための最良の形態として実施例について詳しく説明する。
【実施例１】
【００１２】
図１はこの櫛Ｋの正面図、図２は図１のＸ−Ｘ断面図を示している。
【００１３】
（この櫛Ｋの基本的構成について）
この実施例の櫛Ｋは、図１や図２に示すように、基部１と、前記基部１の後端側に延設されているテール部２を有するものであって、前記基部１の先端側１ａは櫛歯３ａの先部が形作るＲ状に、前記基部１の先端側以外の部分１ｂは複数の櫛歯３ｂの先部が形作る直線状に、それぞれ形成され、全ての櫛歯３ａ、３ｂの形成軌跡は上面視で直線状であると共に前記櫛歯３ａ、３ｂの長さを５ｍｍ程度に設定してある。また、上記基部１における、隣り合う櫛歯３ａ、３ａ／３ｂ、３ｂが形成するＶ字状の中央線上に凹み線４ａ／４ｂを設けてある。
【００１４】
なお、この櫛Ｋは、適宜のプラスチックの一体成形により製造することができるが、材質や製造方法は特に限定されるものではない。
【００１５】
（この櫛Ｋの具体的構成について）
上記基部１は、図１や図２に示すように、従来から存在している櫛と比較すると、かなり縦幅を広く設定してあり、その分、櫛歯３ａ、３ｂを短く設定してある。一例としては、基部１の長さ寸法：９０ｍｍ、基部１の縦幅の寸法：２０ｍｍ、基部１の先端のＲ状寸法：半径２０mmに設定することができる。
【００１６】
テール２は、図１に示すように、従来の櫛と同様に基部１側から後端側にむかって徐々に先細となっており、後端により毛髪の仕分けが円滑にできるようになっている。一例としては、テール２の長さ：１１０ｍｍ程度であり、
櫛歯３ａは、図１や図２に示すように、従来の櫛には全く存在していないものであり、この櫛Ｋにおいて最も特徴を有する部分である。すなわち、この櫛歯３ａは、図１や図２に示すように、基部１のＲ形状に沿って一定角度間隔で配列されており、隣り合う櫛歯３ａ、３ａ相互が構成するＶ字が、同角度で連続形成されている。一例としては、１２個の櫛歯３ａの先端が円弧を形成するようになっており、上記Ｖ字角度を３０°に、上述した如く高さを５ｍｍに、それぞれ設定している。
【００１７】
櫛歯３ｂは、図１や図２に示すように、基部１の下端部に沿って一定間隔で配列されており、隣り合う櫛歯３ｂ、３ｂ相互が構成するＶ字が、同距離で連続形成されている。一例としては、２９個の櫛歯３ｂが直線的に配列されており、上記Ｖ字角度を３０°に、上述した如く高さを５ｍｍに、それぞれ設定している。
【００１８】
凹み線４ａ／４ｂは、図１や図２に示すように、上述した如く隣り合う櫛歯３ａ、３ａ／３ｂ、３ｂが形成するＶ字状の中央線上に配置してあるが、当該前記Ｖ字の先細部から基部１の上側へ至るにつれて凹み量及び幅寸法が徐々に小さくなっている。この凹み線４ａ／４ｂは、櫛歯３ａ、櫛歯３ｂにより梳かれた毛髪を基部１側に等間隔で案内する機能を有している。
【００１９】
なお、この櫛Ｋにおける厚みは、従来から存在している櫛と比較して何等相違するものではない。
【００２０】
（この櫛Ｋの優れた効果について）
（１）毛髪に窪んだ丸み感をつけ易い。
【００２１】
図３において、Ｈは頭部を示し、ｈは毛髪を示している。これについては、以下の（２）〜（４）についても同じである。
【００２２】
従来の櫛Ｋ´は、図３に示すように、櫛歯３´が基部1´に対して全て垂直に設けてあるので、櫛Ｋ´の先端部分を使用して毛髪ｈをカールすることは熟練者でも困難である。その理由は、図３の符号A´に示すように、毛髪ｈへの櫛Ｋの挿入量が一定量ではないことから、櫛Ｋ´による毛髪ｈの巻き込み等がランダムになるためである。
【００２３】
これに対して、この実施例の櫛Ｋでは、櫛歯３ａが基部１のＲ形状に沿って一定角度間隔で配列されていることから、図４の符号Aに示すように、毛髪ｈへの櫛Ｋの挿入量を一定量にすることができる。したがって、櫛Ｋによる毛髪ｈの巻き込み等がランダムにならないので、巻き込み等が綺麗にでき、毛髪に窪んだ丸み感をつけ易い。
（２）外観が綺麗な状態でボリュームアップできる。
【００２４】
従来の櫛Ｋ´は櫛歯３´が２０ｍｍ程度あるので、図５に示すように、後頭部側から前頭部側に櫛Ｋ´を差し込んだ場合において前頭部側の毛髪ｈまで逆毛を立ててしまうことになる。したがって、外観が綺麗な状態でボリュームアップすることが困難である。
【００２５】
これに対して、この実施例の櫛Ｋでは、図６に示すように、櫛歯３ｂは５mm程度であるため、後頭部側から前頭部側に櫛Ｋを差し込んだ場合において前頭部側の毛髪ｈについて逆毛を立ててしまう可能性は少ない。したがって、外観が綺麗な状態でボリュームアップすることを確実にできる。
（３）表面の乱れた毛髪を整えやすく、美しい筋目が形成できる。
【００２６】
従来の櫛Ｋ´は櫛歯３´が２０ｍｍ程度あるので、表面の乱れた毛髪ｈを梳かした場合、図７に示すように、毛髪ｈの高さがランダムになってしまい、美しい筋目Ｓを形成しにくい。
【００２７】
これに対して、この実施例の櫛Ｋでは、図８に示すように、櫛歯３ｂは５mm程度であるため、表面の乱れた毛髪ｈを梳かした場合、同図に示すように、毛髪ｈの高さが揃った美しい筋目Ｓを形成できる。
（４）広い部分から求心的に集めた毛髪の流れや、狭い部分から遠心的に広げる毛髪の流れを形成しやすい。
【００２８】
従来の櫛Ｋ´は、図９に示すように、櫛歯３´が基部1´に対して全て垂直に設けてあるので、同図に示すように、平行に毛流れさせることは容易であるが、広い部分から求心的に集めた毛髪ｈの流れや、狭い部分から遠心的に広げる毛髪ｈの流れを形成しにくい。
【００２９】
これに対して、この実施例の櫛Ｋでは、図１０に示すように、櫛歯３ａの部分を使用すれば、広い部分から求心的に集めた毛髪ｈの流れＦ１や、狭い部分から遠心的に広げる毛髪ｈの流れＦ２を形成することができる。
（その他の実施の形態について）
上記実施例では、櫛歯３ａ、３ｂの長さを５ｍｍ程度に設定したが、これに限定されることなく、前記櫛歯３ａ、３ｂの長さは３〜７ｍｍであれば採用できる。なお、好ましくは、４〜５ｍｍである。
【００３０】
上記実施例では、基部１における、隣り合う櫛歯３ａ、３ａ／３ｂ、３ｂが形成するＶ字状の中央線上に凹み線４ａ／４ｂを設けてあるが、これに限定されることなく、必ずしも凹み線４ａ／４ｂを設けなくてもよい。
【００３１】
上記実施例では、基部１の後端側には、テール部２が延設されているが、これに限定されることなく、テール部２が延設されていなくてもよい。
【００３２】
上記実施例では、この櫛歯３ａは基部１のＲ形状に沿って一定角度間隔で配列されているものとしているが、これに限定されることなく、Ｒ状を形成する複数の櫛歯３ａは基部１の長手方向線に近づくにつれて徐々に、前記基部１の長手方向線に対する傾きが小さくなっているものでもよいし、Ｒ状を形成する複数の櫛歯３ａは、放射線状に配置されているものでもよい。
【００３３】
上記実施例では複数の櫛歯３ａが９０°の扇形を形成しているものとしているが、これに限定されることなく、複数の櫛歯３ａが基部１の上側にまで至る１８０°の扇形としてもよい。
【図面の簡単な説明】
【００３４】
【図１】この考案の実施例の櫛の正面図。
【図２】図１のＸ−Ｘ断面図。
【図３】従来の櫛の使用態様１の説明図。
【図４】この実施例の櫛の使用態様１の説明図。
【図５】従来の櫛の使用態様２の説明図。
【図６】この実施例の櫛の使用態様２の説明図。
【図７】従来の櫛の使用態様３の説明図。
【図８】この実施例の櫛の使用態様３の説明図。
【図９】従来の櫛の使用態様４の説明図。
【図１０】この実施例の櫛の使用態様４の説明図。
【符号の説明】
【００３５】
Ｋ        櫛
１        基部  
１ａ      先端側
１ｂ      部分
２        テール部
３ａ      櫛歯
３ｂ      櫛歯
４ａ      凹み線
４ｂ      凹み線
【図１】
0003139095.tif 000003
【図２】
0003139095.tif 000004
【図３】
0003139095.tif 000005
【図４】
0003139095.tif 000006
【図５】
0003139095.tif 000007
【図６】
0003139095.tif 000008
【図７】
0003139095.tif 000009
【図８】
0003139095.tif 000010
【図９】
0003139095.tif 000011
【図１０】
0003139095.tif 000012